(57)【要約】【課題】略鉛直上向きに搬送される感光材のコシが強い場合でも、確実にバンディングの発生を防止することが可能な搬送装置およびこれを備えた写真処理装置を提供する。【解決手段】搬送部２０ａは、略鉛直方向上向きに印画紙Ｐを搬送する搬送装置であって、搬送経路内における所定の範囲内を往復移動しながら印画紙Ｐの端部をつまんで搬送するチャッカ式搬送ユニット２１と、略鉛直方向に対して交差する方向に突出するように印画紙Ｐの一部に形成されるループ部Ｌに対して下流側の側面に当接するループ規制ガイド２３と、を備えている。【選択図】図５
2009092920.tif 000002
【特許請求の範囲】
【請求項１】
略鉛直方向に沿って形成される搬送経路においてループ部を形成しながら搬送材を略鉛直上向きに搬送する搬送装置であって、
前記搬送経路における所定の範囲内において前記搬送材の端部をつまんで下流側へと搬送するチャッカ部と、
前記チャッカ部の直上流側における前記搬送材の搬送経路上から前記ループ部の形成側に所定距離だけ離間した位置において、前記ループ部の下流側の部分に対して当接するループ規制部と、
を備えている搬送装置。
【請求項２】
前記ループ規制部は、前記チャッカ部に対して取り付けられている、
請求項１に記載の搬送装置。
【請求項３】
前記ループ規制部は、前記ループ部に対して当接する位置に、前記搬送材の搬送方向に対して略直交する方向に延伸するガイド部材を有している、
請求項１または２に記載の搬送装置。
【請求項４】
前記ガイド部材は、前記搬送材のループ部分に対して当接する位置に、回転可能な状態で軸支されたローラ部を含む、
請求項３に記載の搬送装置。
【請求項５】
前記ループ規制部を所定の位置へ退避させる退避機構をさらに備えている、
請求項１から４のいずれか１項に記載の搬送装置。
【請求項６】
前記退避機構は、前記搬送材のループ部分を押さえる方向に付勢する付勢部材を有している、
請求項５に記載の搬送装置。
【請求項７】
請求項１から６のいずれか１項に記載の搬送装置と、
前記搬送装置において搬送される前記搬送材に対して露光処理を行う露光部と、
を備えている写真処理装置。
【発明の詳細な説明】
【技術分野】
【０００１】
本発明は、搬送材の端部をつまむようにして下流側へと搬送するチャッカ部を含む搬送装置およびこれを備えた写真処理装置に関する。
【背景技術】
【０００２】
近年、長尺の搬送材を所定の方向へ搬送しながら露光処理を行う写真処理装置が用いられている。
このような写真処理装置では、搬送材の端部をつまむようにしてチャッカ部によって露光部まで搬送しているものがある。そして、搬送材を切断する際における振動が露光処理中の露光部に伝わらないようにするために、露光部の上流側に搬送材のループを形成している（特許文献１参照）。
【特許文献１】特開２００５−１０３８０６号公報（平成１７年４月２１日公開）
【発明の開示】
【発明が解決しようとする課題】
【０００３】
しかしながら、上記従来の搬送装置では、以下に示すような問題点を有している。
すなわち、上記公報に開示された搬送装置では、例えば、搬送材が略鉛直上向きに搬送され、チャッカ部の直上流側に形成されたループ部において、搬送材のコシが強い場合等には、搬送中にループ部分が下流側へと移動することがある。その状態で搬送材を所定のサイズに切断するために上流側の搬送を停止してループ部が小さくなり始めると、搬送材の反力と重量とによってループ部が一気に解かれて搬送材に振動が生じてしまうおそれがある。このため、ループ部を設ける従来の構成では、露光処理中における搬送材の振動による露光ムラ（バンディング）の発生を十分に回避できるとは言い難い。
【０００４】
本発明の課題は、略鉛直上向きに搬送される搬送材のコシが強い場合でも、確実にバンディングの発生を防止することが可能な搬送装置およびこれを備えた写真処理装置を提供することにある。
【課題を解決するための手段】
【０００５】
第１の発明に係る搬送装置は、略鉛直方向に沿って形成される搬送経路においてループ部を形成しながら搬送材を略鉛直上向きに搬送する搬送装置であって、チャッカ部と、ループ規制部と、を備えている。チャッカ部は、搬送経路における所定の範囲内において搬送材の端部をつまんで下流側へと搬送する。ループ規制部は、チャッカ部の直上流側における搬送材の搬送経路上からループ部の形成側に所定距離だけ離間した位置において、ループ部の下流側の部分に対して当接する。
【０００６】
ここでは、略鉛直上向きに搬送材を搬送しながらチャッカ部の上流側にループ部を形成することで、搬送材切断時等における振動が露光部へ伝達されることを防止した構成において、チャッカ部の直上流側に形成されるループ部における下流側の部分に対して当接するループ規制部を設けている。
ここで、ループ規制部は、例えば、搬送材の幅方向に亘って当接する棒状の部材や、搬送材の幅方向における端部のみに当接する部材等が考えられる。
【０００７】
これにより、チャッカ部の直上流側、つまりループの直下流側に配置されたループ規制部によって、ループ部の搬送方向における移動や高さ方向への拡大を規制することができる。よって、ループ部がチャッカ部から所定の距離だけ離間した位置で形成されるようにし、かつループ部が高さ方向に成長することを抑制することで、長尺の搬送材をプリントサイズに切断するために上流側の搬送が停止した場合でも、ループ部が一気に解かれて、露光処理中の搬送材が振動してしまうことを防止することができる。この結果、ループ部の形成により切断時における搬送材の振動を抑制しつつ、このループ部の動きを規制するループ規制部によってループ部が解かれる際の振動を抑制することで、より確実に露光処理におけるバンディングの発生を防止することができる。
【０００８】
第２の発明に係る搬送装置は、第１の発明に係る搬送装置であって、ループ規制部は、チャッカ部に対して取り付けられている。
ここでは、ループ規制部が、搬送材をつまんだ状態で搬送するチャッカ部に対して取り付けており、チャッカ部とともに移動する。
ここで、上述したバンディングは、ループ部がチャッカ部に対して近づきすぎると振動の影響が大きくなるおそれがあるため、チャッカ部側からループ部を押えるような構成であることが好ましい。
【０００９】
これにより、チャッカの移動に伴ってループ規制部も移動することになるが、チャッカ部が最も下流側に位置しているときには、その直上流側において形成されるループ部の移動や成長を、ループ規制部によって効果的に規制することができる。この結果、ループ規制部を効果的に配置して、簡易な構成によってバンディング等の問題を解決することができる。
【００１０】
第３の発明に係る搬送装置は、第１または第２の発明に係る搬送装置であって、ループ規制部は、ループ部に対して当接する位置に、搬送材の搬送方向に対して略直交する方向に延伸するガイド部材を有している。
ここでは、ループ規制部として、搬送方向に対して略直交する方向に延伸する棒状のガイド部材を用いている。
これにより、ループ部を形成する搬送材の幅方向に対して延伸しているため、ループ部に対して確実に当接して、ループ部の移動等を確実に規制することができる。
【００１１】
第４の発明に係る搬送装置は、第３の発明に係る搬送装置であって、ガイド部材は、搬送材のループ部分に対して当接する位置に、回転可能な状態で軸支されたローラ部を含む。
ここでは、ガイド部材における搬送材のループ部分に対して当接する位置に、回転可能なローラ部を設けている。
【００１２】
これにより、搬送材のループ部分が移動や成長する際にガイド部材がループ部分に接触すると、先端のローラ部を回転させながらループの移動等を規制することができる。この結果、ガイド部材が、例えば、搬送中の搬送材の乳剤面に対して当接する場合でも、乳剤面に対して傷をつけてしまうことなく、円滑に搬送することができる。
【００１３】
第５の発明に係る搬送装置は、第１から第４の発明のいずれか１つに係る搬送装置であって、ループ規制部を所定の位置へ退避させる退避機構をさらに備えている。
ここでは、ループの移動等を規制する必要がない場合、例えば、チャッカの位置が最上流側にある際に、ループ規制部を搬送材の搬送経路上から退避させる。
ここで、退避機構としては、例えば、チャッカの位置に応じて、ループ規制部を所定の回動軸を中心として回動させてチャッカに近接する位置まで移動させる機構等が考えられる。
【００１４】
これにより、ループの移動や成長を規制する場合とそれ以外とを、チャッカの位置に応じて容易に切り換えることができる。そして、チャッカが最上流位置へ移動して搬送材を受け取る際等には、ループの移動等を規制する必要がないため、搬送材の搬送に邪魔にならないように搬送経路外へと退避させることができる。この結果、チャッカ等における搬送を円滑に行うことができる。
【００１５】
第６の発明に係る搬送装置は、第５の発明に係る搬送装置であって、退避機構は、搬送材のループ部分を押さえる方向に付勢する付勢部材を有している。
ここでは、必要な場合以外はループ規制部を所定の位置へ退避させる退避機構に、搬送材のループを押える方向へ力を付与する付勢部材を設けている。
ここで、付勢部材としては、例えば、回動軸を中心としてループ規制部を回動させる退避機構である場合に、回動軸にセットされた巻きバネ等を用いることができる。
【００１６】
これにより、ループ規制部が退避する際には、付勢部材の付勢力に反してループ規制部を移動させるとともに、ループに対して当接する際には、適度な力でループの移動や成長を規制することができる。
【００１７】
第７の発明に係る写真処理装置は、第１から第６の発明のいずれか１つに係る搬送装置と、搬送装置において搬送される搬送材に対して露光処理を行う露光部と、を備えている。
これにより、ループ部の形成により切断時における搬送材の振動を抑制しつつ、このループ部の動きを規制するループ規制部によってループ部が解かれたときの振動を抑制することで、より確実に露光処理におけるバンディングの発生を防止することができるという、上記と同様の効果を得ることが可能な写真処理装置を提供することができる。
【発明の効果】
【００１８】
第１の発明に係る搬送装置によれば、より確実に露光処理におけるバンディングの発生を防止することができる。
第２の発明に係る搬送装置によれば、ループ規制部を効果的に配置して、簡易な構成によってバンディング等の問題を解決することができる。
第３の発明に係る搬送装置によれば、ループ部に対して確実に当接して、ループ部の移動等を確実に規制することができる。
【００１９】
第４の発明に係る搬送装置によれば、ガイド部材が、例えば、搬送材の乳剤面に対して当接する場合でも、乳剤面に対して傷をつけてしまうことなく、円滑に搬送することができる。
第５の発明に係る搬送装置によれば、チャッカ等における搬送を円滑に行うことができる。
【００２０】
第６の発明に係る搬送装置によれば、ループ規制部が退避する際には、付勢部材の付勢力に反してループ規制部を移動させるとともに、ループに対して当接する際には、適度な力でループの移動や成長を規制することができる。
第７の発明に係る写真処理装置によれば、より確実に露光処理におけるバンディングの発生を防止することができるという、上記と同様の効果を得ることが可能な写真処理装置を提供することができる。
【発明を実施するための最良の形態】
【００２１】
本発明の一実施形態に係る搬送部（搬送装置）２０ａを搭載した写真処理装置３について、図１〜図７を用いて説明すれば以下の通りである。
なお、以下の説明において用いる「上流側」および「下流側」とは、印画紙（搬送材）Ｐの搬送方向における上流側と下流側とを示すものとする。
［写真処理装置３全体の構成］
本発明の一実施形態に係る写真処理装置３は、図１に示すように、ケーブル４を介して接続された操作ステーション２とともに写真プリントシステム１を構成し、操作ステーション２から受信した画像情報に基づいて、印画紙Ｐを搬送しながら印画紙Ｐに対して画像の露光処理および現像処理等を行う。
【００２２】
写真処理装置３は、図２に示すように、主として、２つの印画紙マガジン１１と、印字装置１２と、シートカッター１３と、露光エンジン（露光部）１４と、処理槽ユニット１５と、センサ１０と、コンベア１６と、ソータ１７（図１参照）と、印画紙搬送機構２０と、筐体６０と、を備えている。
２つの印画紙マガジン１１は、写真処理装置３の内部において、ロール状に巻かれた長尺の印画紙Ｐを１個ずつ収納しており、印画紙搬送機構２０に含まれる搬送部２０ａによって適宜必要な量の印画紙Ｐが引き出される。
【００２３】
印字装置１２は、印画紙マガジン１１の下流側の位置に印画紙搬送機構２０の一部と隣接するように配置されている。そして、印字装置１２は、印画紙Ｐのプリント面の裏面側に、オーダー番号や補正値等のプリント情報を印字する。
シートカッター１３は、印字装置１２の下流側の位置に、印画紙搬送機構２０の一部と隣接するように配置されている。そして、シートカッター１３は、印画紙マガジン１１から引き出されて印字装置１２により印字が施された印画紙Ｐのマージン部分の切断や、プリントに適した所定のサイズへの切断を行う。
【００２４】
露光エンジン１４は、シートカッター１３の下流側の位置に、印画紙搬送機構２０の一部に隣接するように配置されている。そして、露光エンジン１４は、シートカッター１３によって所定のサイズに切断された印画紙Ｐのプリント面に対して、操作ステーション２から受信した画像データに基づいて露光処理を行う。また、露光エンジン１４は、図示しないライン露光ヘッドを有しており、副走査方向に搬送される印画紙Ｐに対して主走査方向に沿ってＲＧＢの３色のレーザ光線を照射する。
【００２５】
処理槽ユニット１５は、露光エンジン１４の下流側に配置されており、露光エンジン１４によって露光処理が施された印画紙Ｐに対して現像処理を行う現像槽１５ａと、漂白および定着処理を行う漂白定着槽１５ｂと、漂白および定着処理を安定させる安定槽１５ｃとを有する。各々の槽には、各々の処理に必要な処理液が貯留されている。処理槽ユニット１５では、露光処理後の印画紙Ｐが処理槽１５ａ〜１５ｃをこの順で経由しながら印画紙搬送機構２０によって搬送されることで、所望の写真画像を印画紙Ｐの表面に形成することができる。
【００２６】
コンベア１６は、写真処理装置３の上部に露出しており、写真画像が表面に形成されて乾燥処理後に排出された印画紙Ｐをソータ１７の方向へ搬送する（図１および図２参照）。
ソータ１７は、写真処理装置３の前面側に鉛直方向に複数のトレイを並べた状態で配置されており、コンベア１６によって搬送される印画済みの印画紙Ｐを、オーダー単位で各トレイに振り分ける（図１参照）。
【００２７】
印画紙搬送機構２０は、写真処理装置３の内部において、印画紙マガジン１１に収容された長尺の印画紙Pを巻回して形成されるロール体から印画紙Ｐを引き出す。そして、シートカッター１３によってプリントに適した所定のサイズに切断された印画紙Ｐを、印画紙Ｐに対して行われる様々な処理に対応した搬送速度で搬送する。なお、この印画紙搬送機構２０の構成については、後段にて詳述する。
【００２８】
筐体６０は、上述した２つの印画紙マガジン１１と、印字装置１２と、シートカッター１３と、露光エンジン１４と、処理槽ユニット１５と、印画紙搬送機構２０と、を少なくとも内部に有しており、各部位において搬送される印画紙Pが外部の光により誤って露光されることを防いでいる。
［印画紙搬送機構２０の構成］
印画紙搬送機構２０は、図２に示すように、上流側から順に配置された３つの搬送部２０ａ，２０ｂ，２０ｃを含むように構成されている。
【００２９】
搬送部２０ａは、印画紙マガジン１１と下流側に配置された搬送部２０ｂとの間に配置されており、印画紙マガジン１１から引き出された印画紙Ｐを、複数の挟持搬送ローラ対２２やチャッカ式搬送ユニット２１等を用いて搬送部２０ｂまで搬送する。なお、この搬送部２０ａの構成については、後段にて詳述する。
搬送部２０ｂは、複数の搬送ローラ対によって、上流側の搬送部２０ａに含まれるチャッカ式搬送ユニット２１から搬送されてきた印画紙Ｐを受け取って、下流側に配置されたチャッカ式搬送ユニット２４に対して引き渡す。また、搬送部２０ｂによって形成される搬送経路内には、露光エンジン１４による露光処理が行われる位置が含まれる。
【００３０】
搬送部２０ｃは、チャッカ式搬送ユニット２４によって搬送されてきた印画紙Ｐを複数の搬送ローラ対によって受け取って、処理槽ユニット１５内へと搬送する。なお、この搬送部２０ｃの構成については、後段にて詳述する。
（搬送部２０ａ）
搬送部２０ａは、図２および図３に示すように、印画紙Ｐの搬送方向における露光エンジン１４の上流側に配置されたチャッカ式搬送ユニット（チャッカ部）２１と、複数の挟持搬送ローラ対２２と、ループ規制ガイド（ループ規制部）２３と、を有している。
【００３１】
チャッカ式搬送ユニット２１は、搬送経路における所定の範囲内を往復移動しながら、プリントサイズに切断された印画紙Ｐの下流側（先端側）の端部を搬送方向における両側からつまむようにして下流側へと搬送する。
挟持搬送ローラ対２２は、２つのローラを組み合わせて構成されており、２つのローラの間の隙間に印画紙Ｐを挟みこんで回転することで印画紙Ｐを下流側へと搬送する。
【００３２】
ループ規制ガイド２３は、図４に示すように、チャッカ式搬送ユニット２１における搬送経路よりもループ部Ｌが形成される側に回動可能な状態で取り付けられており、搬送部２０ａにおいて搬送される印画紙Ｐに形成されるループ部Ｌの一部に当接する（図５（ｂ）参照）。これにより、印画紙Ｐのループ部Ｌが、必要以上にチャッカ式搬送ユニット２１に対して近づいたり、高さ方向に大きくなったりすることを防止することができる。なお、ループ規制ガイド２３の構成については、後段にて詳述する。
【００３３】
（ループ規制ガイド２３）
ループ規制ガイド２３は、図４に示すように、回動軸（退避機構）２３ａと、アーム部２３ｂと、当接ローラ（ガイド部材、ローラ部）２３ｃと、巻きバネ（付勢部材、退避機構）２３ｄと、を有している。
回動軸２３ａは、ループ規制ガイド２３全体を回動させる中心となる退避機構であって、チャッカ式搬送ユニット２１における印画紙Ｐの搬送経路からループ部Ｌが形成される側に所定の距離だけ離間した位置に設けられている。これにより、チャッカ式搬送ユニット２１が最下流側（図中上側）に移動している状態でループ部Ｌが移動してきて当接した場合でも、ループ部Ｌから付与される力によって回動しにくくなるように構成されている。
【００３４】
アーム部２３ｂは、回動軸２３ａを介して、チャッカ式搬送ユニット２１の幅方向における両端部にそれぞれ取り付けられており、回動軸２３ａを中心として回動する。また、アーム部２３ｂは、当接ローラ２３ｃの両端を回転可能な状態で支持している。
当接ローラ２３ｃは、左右のアーム部２３ｂによって両端が挟みこまれるようにして、印画紙Ｐの幅方向（搬送方向に直交する方向）に沿って回転可能な状態で軸支されている。これにより、当接ローラ２３ｃは、図５（ｂ）に示すように、印画紙Ｐの一部に形成されたループ部Ｌに対して当接すると回転することで、印画紙Ｐの乳剤面に傷を付けることを防止している。
【００３５】
巻きバネ２３ｄは、回動軸２３ａ周りに設けられており、ループ規制ガイド２３が常時鉛直下向きよりも若干搬送経路寄りになるまで回動するように付勢力を付与する。これにより、図５（ａ）に示すように、チャッカ式搬送ユニット２１が最上流側（図中下側）に移動して、ループ規制ガイド２３を退避させる場合には、巻きバネ２３ｄの付勢力に反してループ規制ガイド２３を所定の退避位置まで回動させることができる。よって、チャッカ式搬送ユニット２１において印画紙Ｐを受け取る位置において、ループ規制ガイド２３が搬送経路から離れた位置へ移動するため、印画紙Ｐの搬送の邪魔になることはない。
【００３６】
（搬送部２０ｃ）
搬送部２０ｃは、図６に示すように、搬送部２０ａによって略鉛直上向きに搬送されてきた印画紙Ｐを、略水平方向に搬送するように、複数の搬送ローラ対３１，３２，３３をこの順番で円弧状に配置している。
搬送ローラ対３１は、従動ローラ３１ａと、駆動ローラ３１ｂとによって構成されている。そして、駆動ローラ３１ｂには、図示しないワンウェイクラッチが内蔵されている。
【００３７】
搬送ローラ対３２は、搬送ローラ対３１と同様に、従動ローラ３２ａと、駆動ローラ３２ｂとによって構成されている。そして、駆動ローラ３２ｂには、図示しないワンウェイクラッチが内蔵されている。
搬送ローラ対３３は、搬送ローラ対３１，３２と同様に、従動ローラ３３ａと、駆動ローラ３３ｂとによって構成されている。しかし、駆動ローラ３３ｂには、ワンウェイクラッチは内蔵されていない。このため、チャッカ式搬送ユニット２４に対して印画紙Ｐを受け渡す際には、搬送停止と同時に回転も停止する。
【００３８】
ところで、最下流側に配置された駆動ローラ３３ｂにまでワンウェイクラッチを内蔵した場合、搬送時の慣性力によって印画紙Ｐを必要以上に搬送してしまうことになる。よって、特に、高速搬送時において、下流側に配置されたチャッカ式搬送ユニット２４に対して精度よく印画紙Ｐを受け渡すことができなくなるおそれがある。
本実施形態では、このようなワンウェイクラッチを内蔵した搬送ローラの特性を考慮して、最下流側に配置された駆動ローラ３３ｂについてのみ、ワンウェイクラッチを外している。これにより、搬送停止時においては、チャッカ式搬送ユニット２４に対して、印画紙Ｐを正確に受け渡すことができる。
【００３９】
一方、駆動ローラ３３ｂをワンウェイクラッチを内蔵しない構造としたことにより、特に、高温多湿の環境下において写真処理装置３を運転した場合には、印画紙Ｐが駆動ローラ３３ｂの表面に固着してしまうおそれがある。このため、駆動ローラ３３ｂを搬送停止時に正確に停止させたとしても、印画紙Ｐと固着することによって、結果としてチャッカ式搬送ユニット２４に対して正確に印画紙Ｐを受け渡すことができないおそれがある。
【００４０】
本実施形態では、このような状況を考慮して、図７に示すように、表面に段差が形成された複数の搬送ローラ対４１〜４８を組み合わせて、駆動ローラ３３ｂを構成している。
具体的には、各搬送ローラ対４１〜４８は、各ローラに対して、搬送面４１ａ〜４８ａとこれより落ち込んだ段差面４１ｂ〜４８ｂとを形成している。これにより、実際に印画紙Ｐを搬送する際には、搬送面４１ａ〜４８ａのいずれかにおいてのみ印画紙Ｐと当接する。このため、搬送ローラ対４１〜４８における印画紙Ｐとの接触面積を減らして、駆動ローラ３３ｂにおける印画紙Ｐの固着という問題を解消することができる。
【００４１】
なお、各ローラに対して形成された搬送面４１ａ〜４８ａと段差面４１ｂ〜４８ｂとの間の段差部は、搬送される印画紙Ｐの幅を考慮して配置されている。つまり、印画紙Ｐが搬送される際に、印画紙Ｐの端部に段差部分が接触して印画紙Ｐの端部が折れ曲がる等の不具合の発生を事前に防止している。
＜搬送部２０ａによるループ部Ｌの形成〜バンディング防止＞
本実施形態では、上述した構成により、最下流側へ移動したチャッカ式搬送ユニット２１の直上流側に、印画紙Ｐのループ部Ｌを形成しながら、露光エンジン１４によって露光処理を行う。そして、ループ部Ｌを形成する際には、チャッカ式搬送ユニット２１に取り付けられたループ規制ガイド２３によって、ループ部Ｌの下流側への移動や高さ方向への過度な成長を抑制する。
【００４２】
具体的には、図５（ａ）に示すように、チャッカ式搬送ユニット２１が搬送経路における最上流側へ移動し、挟持搬送ローラ対２２から印画紙Ｐを受け取って端部をチャッキングする。
このとき、チャッカ式搬送ユニット２１に取り付けられたループ規制ガイド２３は、挟持搬送ローラ対２２等を支持する部材の一部に接触する。そして、チャッカ式搬送ユニット２１の下方への移動とともに回動軸２３ａ付近にセットされた巻きバネ２３ｄの付勢力に反して回動軸２３ａを中心にして回動し、所定の退避位置へと移動する。これにより、チャッカ式搬送ユニット２１において印画紙Ｐを受け取る際に、ループ規制ガイド２３が邪魔になることを回避することができる。
【００４３】
次に、チャッカ式搬送ユニット２１が、印画紙Ｐの端部をチャッキングした後で略鉛直上向きに移動していく。このとき、ループ規制ガイド２３は、挟持搬送ローラ対２２等を支持する部材から離間していくにつれて、巻きバネ２３ｄの付勢力によって元の鉛直下向きの状態へ戻っていく。
チャッカ式搬送ユニット２１が、略鉛直上向きに移動して所定の位置に停止したとき、下流側の挟持搬送ローラ対２２等の搬送速度の方がチャッカ式搬送ユニット２１の移動速度よりも若干速いために、チャッカ式搬送ユニット２１の直上流側に所定の大きさのループ部Ｌが形成されていく。これにより、この後、露光処理中に上流側の搬送を停止してシートカッター１３によって印画紙Ｐが所定の大きさに切断されても、ループ部Ｌによって切断に伴う印画紙Ｐの振動を吸収することで、露光エンジン１４による露光処理される位置まで振動が伝達されることを防止することができる。
【００４４】
また、このときチャッカ式搬送ユニット２１には、ループ規制ガイド２３が設けられているため、ループ部Ｌの山部分における下流側の側面にループ規制ガイド２３の当接ローラ２３ｃが当接した状態で保持される。これにより、印画紙Ｐのループ部Ｌがチャッカ式搬送ユニット２１に接触したり、必要以上に山が高いループとなってしまったりすることを防止することができる。よって、露光処理中に上流側の搬送が停止した場合でも、ループ部Ｌの形状をある程度コントロールしているため、ループ部Ｌが重力と印画紙Ｐの反力とによって一気に解かれることを防止することができる。よって、ループ部Ｌが徐々に小さくなっていくため、発生する振動を最小限に抑制することができる。この結果、この振動が露光エンジン１４による露光処理位置まで伝達され、バンディングが発生することをより確実に防止することができる。
【００４５】
［本搬送部２０ａの特徴］
（１）
本実施形態の搬送部２０ａは、図５（ａ）および図５（ｂ）に示すように、略鉛直方向上向きに印画紙Ｐを搬送する搬送装置であって、搬送経路内における所定の範囲内を往復移動しながら印画紙Ｐの端部をつまんで搬送するチャッカ式搬送ユニット２１と、略鉛直方向に対して交差する方向に突出するように印画紙Ｐの一部に形成されるループ部Ｌに対して下流側の側面に当接するループ規制ガイド２３と、を備えている。
【００４６】
これにより、略鉛直上向きに搬送されることで、ループ部Ｌの反力に加えて、重力の影響によってもループ部Ｌが一気に解かれるおそれが高い場合でも、ループ部Ｌの形状、成長をある程度コントロールすることができるため、ループ部Ｌを徐々に解いていくことができる。この結果、印画紙Ｐの切断時における振動の影響はループ部Ｌにおいて吸収しつつ、ループ部Ｌが重量等の影響によって一気に解かれてしまうことを防止することで、露光処理位置におけるバンディングの発生をより効果的に防止することができる。
【００４７】
なお、厚みや剛性が大きい場合等のように印画紙Ｐのコシが強い場合には、印画紙Ｐの搬送中にループ部Ｌが搬送方向における下流側へ移動して、印画紙Ｐの反力、重力ともに大きくなってループ部Ｌが一気に解かれてしまい易いことから、本実施形態に係るバンディングの防止手段は特に有効である。
（２）
本実施形態の搬送部２０ａでは、図４等に示すように、ループ部Ｌの移動や成長を規制するためのループ規制ガイド２３を、チャッカ式搬送ユニット２１に対して取り付けている。
【００４８】
これにより、チャッカ式搬送ユニット２１の直上流側に形成されるループ部Ｌの山の部分の下流側の側面に対して、ループ規制ガイド２３を容易に当接させることができる。この結果、搬送経路上から所定の距離だけ離間した位置においてループ部Ｌを押えて、ループ部Ｌの移動や形状を規制することで、簡易な構成によりバンディングの発生を防止することができる。
【００４９】
（３）
本実施形態の搬送部２０ａでは、図３等に示すように、ループ規制ガイド２３が、搬送方向に略直交する方向に沿って配置された当接ローラ２３ｃを有している。
これにより、印画紙Ｐの幅方向に亘って当接ローラ２３ｃを当接させることで、印画紙Ｐのループ部Ｌをしっかりと支持することができる。よって、ループ部Ｌの下流側への移動や高さ方向への過度な成長を効果的に抑制することができる。
【００５０】
（４）
本実施形態の搬送部２０ａでは、図３等に示すように、ループ規制ガイド２３が、印画紙Ｐのループ部Ｌに対して当接させる部分に、回転可能な状態で軸支された当接ローラ２３ｃを有している。
これにより、印画紙Ｐの乳剤面に対してループ規制ガイド２３が当接する場合でも、当接ローラ２３ｃがループ部Ｌの移動や搬送に伴って回転することで、搬送中の印画紙Ｐの乳剤面に対して擦り傷等が形成されることを防止することができる。
【００５１】
（５）
本実施形態の搬送部２０ａでは、図４等に示すように、ループ規制ガイド２３が、回動軸２３ａを中心として回動可能であって、図５（ａ）に示すように、チャッカ式搬送ユニット２１が印画紙Ｐを受け取る際には、所定の退避位置まで移動する。
これにより、図５（ｂ）に示すような必要な状況においてのみ、ループ規制ガイド２３を搬送経路付近に登場させることができる。この結果、ループ規制ガイド２３を設けた場合でも、印画紙Ｐの搬送の邪魔になることを回避して、印画紙Ｐを円滑に搬送することができる。
【００５２】
（６）
本実施形態の搬送部２０ａでは、図４等に示すように、ループ規制ガイド２３が、当接ローラ２３ｃによってループ部Ｌを押える方向に付勢する付勢力を付与する巻きバネ２３ｄを有している。
これにより、図５（ａ）に示すようなループ規制ガイド２３が不要な状況では搬送経路付近から退避させるとともに、図５（ｂ）に示すような必要な状況においては、ループ規制ガイド２３を搬送経路付近に登場させることができる。よって、ループ部Ｌを適度な力で押えつつ、ループ部Ｌの下流側への移動や成長を防止することができる。
【００５３】
（７）
本実施形態の写真処理装置３では、図１および図２に示すように、上述した搬送部２０ａを含む印画紙搬送機構２０と、搬送される印画紙Ｐに対して露光処理を行う露光エンジン１４と、を備えている。
これにより、チャッカ式搬送ユニット２１の直上流側に形成されるループ部Ｌの移動等を効果的に抑制して、ループ部Ｌが一気に解かれて振動することを防止することができる。この結果、露光処理中の印画紙Ｐにおいてバンディングの発生をより効果的に防止することが可能な写真処理装置３を提供することができる。
【００５４】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、ループ規制ガイド２３が、印画紙Ｐと当接する先端部に、回動軸２３ａを中心に回転可能な状態で軸支された当接ローラ２３ｃを有している例を挙げて説明した。しかし、本発明はこれに限定されるものではない。
【００５５】
例えば、印画紙に対して当接する部分に、回転不能なローラ等の部材を用いてもよい。
ただし、印画紙との接触による傷の発生を防止することができるという点では、上記実施形態のように、印画紙との当接部分が回転することがより好ましい。
（Ｂ）
上記実施形態では、ループ規制ガイド２３が、チャッカ式搬送ユニット２１に取り付けられている例を挙げて説明した。しかし、本発明はこれに限定されるものではない。
【００５６】
例えば、ループ規制ガイドを写真処理装置３内における所定の位置へ設けてもよいし、チャッカ式搬送ユニット以外の部材へ取り付けてもよい。
（Ｃ）
上記実施形態では、ループ規制ガイド２３が、回動軸２３ａを中心に回動して所定の位置へ退避する例を挙げて説明した。しかし、本発明はこれに限定されるものではない。
【００５７】
例えば、ループ規制ガイドの退避方法としては、回動する以外にも、ばね等の弾性部材を縮めながら搬送方向に沿って真っ直ぐに移動するようにしてもよい。
（Ｄ）
上記実施形態では、搬送部２０ａにおいては、鉛直方向において印画紙Ｐを上方に向かって搬送する例を挙げて説明した。しかし、本発明はこれに限定されるものではない。
【００５８】
搬送部における搬送方向としては、完全に鉛直方向に沿った方向である必要はなく、例えば、３０度程度鉛直方向から傾斜した向きに搬送してもよい。
この場合でも、印画紙のループ部分が反力と重量とによって一気に解かれることを防止して、印画紙への振動に起因する露光部分におけるバンディングの発生を防止することができる。
【００５９】
（Ｅ）
上記実施形態では、搬送部２０ｂに含まれる最も下流側に配置された駆動ローラ３３ｂとして、印画紙Ｐの幅方向において段差を有するローラ形状を採用した例を挙げて説明した。しかし、本発明はこれに限定されるものではない。
例えば、搬送される印画紙との接触面積を減らすという意味では、回転方向に沿って形成されたスリット等の切欠きが搬送面に形成された駆動ローラを採用してもよい。
【産業上の利用可能性】
【００６０】
本発明の搬送装置は、より確実に露光処理におけるバンディングの発生を防止することができるという効果を奏することから、ループ部分を形成しながら搬送を行う搬送装置を搭載した各種装置に対して広く適用可能である。
【図面の簡単な説明】
【００６１】
【図１】本発明の一実施形態に係る搬送装置を搭載した写真処理装置を備えた写真処理システムを示す外観斜視図。
【図２】図１の写真処理装置の内部構造を示す断面図。
【図３】図２の印画紙搬送機構の一部である搬送部の構成を示す斜視図。
【図４】図３の搬送部に含まれるチャッカ式搬送ユニットの構成を示す側面図。
【図５】（ａ），（ｂ）は、図３の搬送部内において図４のチャッカ式搬送ユニットが上下流側におけるそれぞれの端部へ移動した際の状態を示す側面図。
【図６】図２の印画紙搬送機構に含まれる他の搬送部の構成を示す側面図。
【図７】図６の搬送部に含まれる搬送ローラの構成を示す正面図。
【符号の説明】
【００６２】
１      写真プリントシステム
２      操作ステーション
３      写真処理装置
４      ケーブル
１０      センサ
１１      印画紙マガジン
１２      印字装置
１３      シートカッター
１４      露光エンジン（露光部）
１５      処理槽ユニット
１６      コンベア
１７      ソータ
２０      印画紙搬送機構
２０ａ    搬送部（搬送装置）
２０ｂ    搬送部
２０ｃ    搬送部
２１      チャッカ式搬送ユニット（チャッカ部）
２２      挟持搬送ローラ対
２３      ループ規制ガイド（ループ規制部）
２３ａ    回動軸（退避機構）
２３ｂ    アーム部
２３ｃ    当接ローラ（ガイド部材、ローラ部）
２３ｄ    巻きバネ（付勢部材、退避機構）
２４      チャッカ式搬送ユニット
３１      搬送ローラ対
３１ａ    従動ローラ
３１ｂ    駆動ローラ
３２      搬送ローラ対
３２ａ    従動ローラ
３２ｂ    駆動ローラ
３３      搬送ローラ対
３３ａ    従動ローラ
３３ｂ    駆動ローラ
４１〜４８  搬送ローラ対
４１ａ〜４８ａ  搬送面
４１ｂ〜４８ｂ  段差面
６０      筐体
Ｌ      ループ部
Ｐ      印画紙（搬送材）
【図１】
2009092920.tif 000003
【図２】
2009092920.tif 000004
【図３】
2009092920.tif 000005
【図４】
2009092920.tif 000006
【図５】
2009092920.tif 000007
【図６】
2009092920.tif 000008
【図７】
2009092920.tif 000009